(57)【要約】【課題】水洗便器に腰掛けた被介護者等の臀部内側全体を、面状に放出される温水シャワーで衛生的に効率よく洗浄することを課題とする。【解決手段】水洗便器へのアタッチメント式洗浄装置（１）は、短軸方向に配列される噴水口（１３１ａ）の数よりも長軸方向に配列される噴水口（１３１ａ）の数を多くし、扇形の噴水流（Ｗ）を形成するよう構成された楕円状又は略長方形状のシャワー放出板（１３１）を有する扇形噴水式シャワーヘッド（１３）を、水圧駆動式又は電動式の旋回ブーム（１４）に取り付けたことを特徴とする。また、温水洗浄便座（３０）においては、伸縮式のシャワーパイプ（３１）の先端に上記扇形噴水式シャワーヘッド（１３）を取り付けたことを特徴とする。【選択図】図５
2010065406.tif 000002
【特許請求の範囲】
【請求項１】
水洗便器の便座に腰掛けた使用者の臀部（Ｈ）の下方から左右の臀部の間へ向けて、左右方向の数よりも前後方向の数が多くなるよう配列された多数条の扇形噴水流（Ｗ）から成る温水シャワーを噴射することにより、左右の臀部内面に当たる面状の水流で臀部内面全体を洗浄することを特徴とする臀部内面の洗浄方法。
【請求項２】
水洗便器の便器本体（Ｐ）の側壁に固定される取付け台座（１１）と、
上端が上記取付け台座に対して所定の角度範囲内で軸中心に回転可能なよう取り付けられ、水洗便器への設置時には水洗便器の内壁面に沿って略鉛直となるよう配置され、上端には温水導入口（１２１）が設けられた回転シリンダ管（１２）と、
短軸方向に配列される噴水口（１３１ａ）の数よりも長軸方向に配列される噴水口（１３１ａ）の数を多くし、扇形の噴水流（Ｗ）を形成するよう構成された楕円状又は略長方形状のシャワー放出板（１３１）を有する扇形噴水式シャワーヘッド（１３）［本願において、「扇形噴水式シャワーヘッド」という。］と、
先端（１４１）には、上記扇形噴水式シャワーヘッド（１３）が取り付けられ、基端部（１４２）は、上記回転シリンダ管の下半部の管壁に明けた通水孔（１２２）を通じて回転シリンダ管の内部と連通するよう回転シリンダ管の外周面に固着されたパイプ部材から成るシャワーヘッド付き旋回ブーム（１４）と、
上記回転シリンダ管内に収容され、回転シリンダ管の軸方向には移動可能なように、且つ、回り止め手段（１２３，１５２）によって回転シリンダ管に対しては相対的に回転不能なように保持されたピストン部材（１５）と、
上記回転シリンダ管（１２）内に挿入され、上端と下端間に軸中心のねじれが形成され、上端は前記取付け台座に対して固定され、中間部は上記ピストン部材の中心に明けた非円形の孔に遊びなく挿通された、軸直角断面がピストン部材の中心の上記非円形の孔（１５１）に対応する形状のねじれ案内バー（１６）と、
上記回転シリンダ管内の底面と上記ピストン部材の下面との間に収容され、ピストン部材を上方向へ押し上げるよう作用するコイルバネ（１７）と、
上記取付け台座に設けられ、温水供給装置の給水ホースからの温水を上記回転シリンダ管の上端の温水導入口へ導く管路手段（１８）とその流路の開閉及び流量調節を行うレバー付きバルブ（１９）と、を備え；
水洗便器への取付け時には、前記回転シリンダ管が水洗便器の片側の内壁面に沿って鉛直となるように且つ前記シャワーヘッド付き旋回ブームが水洗便器の片側の内壁面に沿って略水平となるように設置した上で、
使用時には、前記レバー付きバルブ（１９）のレバー（１９１）を操作し、温水供給装置のからの温水を回転シリンダ管の上端の温水導入口（１２１）から回転シリンダ管（１２）内へ導入すると、その水圧により前記ピストン部材（１５）が前記コイルバネ（１７）の弾力に抗して下方へ移動せしめられ、その際、ピストン部材に挿通された前記ねじれ案内バー（１６）の作用によりピストン部材がその中心軸を中心に回転せしめられ、前記回り止め手段（１２３，１５２）を介して回転シリンダ管がピストン部材と共に回転せしめられることにより、当該回転シリンダ管に固着された前記シャワーヘッド付き旋回ブーム（１４）が旋回し、その先端の扇形噴水式シャワーヘッド（１３）が便器の中央へ向けて移動すると共に、ピストン部材が回転シリンダ管内でシャワーヘッド付き旋回ブームの基端の固着箇所より下方まで達すると、回転シリンダ管へ導入された温水がパイプ部材から成るシャワーヘッド付き旋回ブーム（１４）の内部を通じてその先端の扇形噴水式シャワーヘッド（１３）から噴出されることにより、前後方向に面状に広がる扇形の噴水流（Ｗ）によって臀部内面の洗浄が行われ、当該シャワー使用後に、前記水量調節レバー（１９１）を操作し、回転シリンダ管内への温水の供給を停止すると、前記コイルバネ（１７）の復元力によりピストン部材（１５）が上方へ向けて移動し、その際、ねじれ案内バー（１６）の作用によりピストン部材（１５）は当初とは逆方向に回転せしめられつつ原位置へ復帰すると共に、回転シリンダ管（１２）及びシャワーヘッド付き旋回ブーム（１４）もピストン部材と共に当初とは逆方向に回転せしめられて原位置へ復帰するよう構成されたこと；
を特徴とする水洗便器へのアタッチメント式臀部内面洗浄装置（１）。
【請求項３】
水洗便器の便器本体（Ｐ）の側壁に固定される取付け台座（１１）と、
パイプ部材から成り、水洗便器の片側の内壁面に沿って略水平に配置され、先端には、扇形噴水式シャワーヘッド（１３）が取り付けられたシャワーヘッド付き旋回ブーム（１４）と、
上記取付け台座に設けられ、温水供給装置から供給される温水の水圧により、上記シャワーヘッド付き旋回ブーム（１４）をその基端部を中心に旋回させ、先端の扇形噴水式シャワーヘッド（１３）が便器の中央に達したとき停止させると共に、温水の供給を停止するとシャワーヘッド付き旋回ブーム（１４）を原位置へ復帰させる旋回ブームの水圧駆動装置と、
上記取付け台座に設けられ、温水供給装置の給水ホースからの温水を上記水圧駆動装置及びシャワーヘッド付き旋回ブームの基端部へ導く管路手段（１８）とその流路の開閉及び流量調節を行うレバー付きバルブ（１９）と、
を備えたことを特徴とする水洗便器へのアタッチメント式臀部内面洗浄装置（１）。
【請求項４】
温水供給装置の給水ホースに接続される上記管路手段（１８）に、水洗便器内又は水洗タンク内へ直接排水する排水管路（１８ａ）が併設され、上記レバー付きバルブのレバー操作により、給水ホースからの水が冷水の間は当該冷水を上記排水管路へ流し、給水ホースからの水が温水となったときは当該温水を前記回転シリンダ管又は水圧駆動装置とシャワーヘッド付き旋回ブームへ流すよう切換え可能に構成されたことを特徴とする請求項２又は３に記載の水洗便器へのアタッチメント式臀部内面洗浄装置（１）。
【請求項５】
水洗便器の便器本体の側壁に固定される取付け台座（１１）と、
パイプ部材から成り、水洗便器の片側の内壁面に沿って略水平に配置され、先端には、扇形噴水式シャワーヘッド（１３）が取り付けられたシャワーヘッド付き旋回ブーム（１４）と、
上記取付け台座に設けられ、使用者による開始スイッチ操作により、上記シャワーヘッド付き旋回ブーム（１４）をその基端部を中心に旋回させ、先端の扇形噴水式シャワーヘッド（１３）が便器の中央に達したとき停止させると共に、使用者による終了スイッチ操作により、シャワーヘッド付き旋回ブーム（１４）を原位置へ復帰させる旋回ブームの電動駆動装置（２０）と、
上記取付け台座に設けられ、温水供給装置の給水ホースからの温水をシャワーヘッド付き旋回ブームの基端部へ導く管路手段（１８）とその流路の開閉及び流量調節を行う電動バルブ（２３）と、
使用者によるスイッチ操作に基づき、上記旋回ブームの電動駆動装置（２０）及び上記電動バルブ（２３）の作動を制御する制御回路（２４）と、
を備えたことを特徴とする水洗便器へのアタッチメント式臀部内面洗浄装置（１）。
【請求項６】
温水供給装置の給水ホースに接続される上記管路手段（１８）に、水洗便器内又は水洗タンク内へ直接排水する排水管路（１８ａ）が併設され、上記電動バルブの制御回路（２４）の作動により、給水ホースからの水が冷水の間は当該冷水を上記排水管路へ流し、給水ホースからの水が温水となったときは当該温水をシャワーヘッド付き旋回ブームへ流すよう切換え可能に構成されたことを特徴とする請求項５に記載の水洗便器へのアタッチメント式臀部内面洗浄装置（１）。
【請求項７】
上記シャワーヘッド付き旋回ブーム（１４）のブームの長さを調節可能としたことを特徴とする請求項２から６までのいずれか一項に記載の水洗便器へのアタッチメント式臀部内面洗浄装置（１）。
【請求項８】
上記シャワーヘッド付き旋回ブーム（１４）の先端に取り付けられる扇形噴水式シャワーヘッド（１３）の取付け角度を調節可能としたことを特徴とする請求項２から６までのいずれか一項に記載の水洗便器へのアタッチメント式臀部内面洗浄装置（１）。
【請求項９】
便座（３０）の後部から便器内部へ向けて伸長、縮退せしめられるシャワーパイプ（３１）の先端から使用者の左右の臀部の間へ向けて温水流を噴射するよう構成された温水洗浄便座において、
上記シャワーパイプ（３１）の先端に扇形噴水式シャワーヘッド（１３）を取り付けたことを特徴とする温水洗浄便座（３）。
【請求項１０】
上記シャワーパイプ（３１）の使用時の長さを少なくとも２段階に変更、選択可能としたことを特徴とする請求項９に記載の温水洗浄便座（３）。
【請求項１１】
上記シャワーパイプ（３１）の先端に取り付けられる扇形噴水式シャワーヘッド（１３）の取付け角度を調節可能としたことを特徴とする請求項９に記載の温水洗浄便座（３）。
【請求項１２】
先端に扇形噴水式シャワーヘッド（１３）を取り付けた上記シャワーパイプ（３１）に加えて、肛門洗浄用シャワーノズルを有するシャワーパイプ（３２）及び／又はビデ用シャワーノズルを有するシャワーパイプ（３３）を併設し、使用時にこれら３種のシャワーパイプのうちから所望のものを選択する選択手段を設けたことを特徴とする請求項９から１１までのいずれか一項に記載の温水洗浄便座（３）。
【請求項１３】
請求項９から１２までのいずれか一項に記載の温水洗浄便座（３）を組み付けて成ることを特徴とする水洗便器。
【請求項１４】
フレキシブルパイプ（４１）の先端（４１１）に、多数条の噴水流から成る面状の水流を形成するシャワーヘッド（４２）を取り付け、当該フレキシブルパイプの基端部（４１２）には、少なくとも、温水供給装置からの給水ホースへの接続コネクタ（４３１）と、水量調節レバー付きバルブ（４３２）とを有するハンドル（４３）を取り付けたことを特徴とする臀部内面洗浄用ハンドシャワー（４）。
【請求項１５】
上記シャワーヘッド（４２）のシャワー放出板（４２１）の内面の略中央に牽引ワイヤ（４２２）の一端を取り付け、当該牽引ワイヤの他端は上記フレキシブルパイプ（４１）の内部を通じて又は外周面に沿ってフレキシブルパイプの基端部側へ導き、上記ハンドル（４３）に設けた牽引レバー（４３３）に取り付けたことを特徴とする請求項１４に記載の臀部内面洗浄用ハンドシャワー（４）。
【発明の詳細な説明】
【技術分野】
【０００１】
本発明は、臀部内面の洗浄方法及びその実施のために用いる器具に関し、特に、被介護者の排便後の臀部内面全体の洗浄に適した洗浄方法及びその実施のために用いる便座その他の器具に関するものである。
【背景技術】
【０００２】
高齢者介護においては排泄物処理が最大の問題の一つである。排便、排尿をおむつで受け止めている場合には臀部内側全体に汚物が付着していることが多く、その処理は簡単ではない。
便器に取り付けられている従来公知の温水洗浄便座は、臀部を必要以上に濡らさないようにとの観点から、ビーム状に吐出する１〜４本の水流で、肛門、陰部を局部的にのみ洗浄するものであり、臀部内側を全体的に面的な広がりをもって洗浄するものではない。
例えば、下記特許文献１〜３に記載のトイレ装置等も、肛門等の局部をピンポイント的に洗浄するのには好適であるが、臀部内側全体に広く付着した汚物を洗い流すには必ずしも適してはいなかった。
そのため、臀部に広く付着した汚れを除去する際には、ボトルなどで少量の水をかけ、紙・布等で拭き取っているのが実情である。これでは汚物や臭気を十分に取り除くことはできない上、作業時間はかかり、さらには拭き取ることにより皮膚を傷め、爛れや感染症の原因となることも少なくない。一度爛れができると悪循環に陥り、なかなか根本的な治癒に至らない。その結果、感染症を引き起こしたり、痛みのために座ることが困難になり寝たきり状態になる引き金となることもしばしばである。
【０００３】
【特許文献１】特開平５−２３０８５４号公報
【特許文献２】特開平５−２５５９６５号公報
【特許文献３】特開２００３−１４７８３５号公報
【発明の開示】
【発明が解決しようとする課題】
【０００４】
本発明は、上記の問題点を解決するためなされたものであり、その目的とするところは、被介護者等の肛門、陰部を局部的にのみ洗浄するのではなく、それらを含めた臀部内側全体を、臀部内側凹部に沿って面的に吐出する大量の温水シャワーで洗浄することにより、最も不潔になりやすい臀部の清潔を保ち、被介護者等の衛生性と快適性を実現し、加えて介護者の作業時間を短縮し、労働量を軽減し得る臀部内面の洗浄方法を提供し、また、その実施のために用いる便座等の器具を提供することにある。
【課題を解決するための手段】
【０００５】
請求項１に係る発明は、上記目的を達成するための臀部内面の洗浄方法を提供するものであり、その構成は、水洗便器の便座に腰掛けた使用者の臀部の下方から左右の臀部の間へ向けて、左右方向の数よりも前後方向の数が多くなるよう配列された多数条の扇形噴水流から成る温水シャワーを噴射することにより、左右の臀部内面に当たる面状の水流で臀部内面全体を洗浄することを特徴とするものである。
このような構成とすることにより、汚れた臀部内面を、充分な水量により、皮膚を痛めることなく、効率良く、洗浄することが可能となる。
【０００６】
請求項２に係る発明は、本発明の前記目的を達成するため、水洗便器に取り付けて用いるアタッチメント方式の水圧駆動式臀部内面洗浄装置を提供するものであり、その構成は、
水洗便器の便器本体の側壁に固定される取付け台座と、
上端が上記取付け台座に所定の角度範囲内で軸中心に回転可能なよう取り付けられ、水洗便器への設置時には水洗便器の内壁面に沿って略鉛直となるよう配置され、上端には温水導入口が設けられた回転シリンダ管と、
短軸方向に配列される噴水口の数よりも長軸方向に配列される噴水口の数を多くし、扇形の噴水流を形成するよう構成された楕円状又は略長方形状のシャワー放出板を有する扇形噴水式シャワーヘッド［本願において、「扇形噴水式シャワーヘッド」という。］と、
先端には、上記扇形噴水式シャワーヘッドが取り付けられ、基端部は、上記回転シリンダ管の下半部の管壁に明けた通水孔を通じて回転シリンダ管の内部と連通するよう回転シリンダ管の外周面に固着されたパイプ部材から成るシャワーヘッド付き旋回ブームと、
上記回転シリンダ管内に収容され、回転シリンダ管の軸方向には移動可能なように、且つ、回り止め手段によって回転シリンダ管に対しては相対的に回転不能なように保持されたピストン部材と、
上記回転シリンダ管内に挿入され、上端と下端間に軸中心のねじれが形成され、上端は前記取付け台座に対して固定され、中間部は上記ピストン部材の中心に明けた非円形の孔に遊びなく挿通された、軸直角断面がピストン部材の中心の上記非円形の孔に対応する形状のねじれ案内バーと、
上記回転シリンダ管内の底面と上記ピストン部材の下面との間に収容され、ピストン部材を上方向へ押し上げるよう作用するコイルバネと、
上記取付け台座に設けられ、温水供給装置の給水ホースからの温水を上記回転シリンダ管の上端の温水導入口へ導く管路手段とその流路の開閉及び流量調節を行うレバー付きバルブと、を備え；
水洗便器への取付け時には、前記回転シリンダ管が水洗便器の片側の内壁面に沿って鉛直となるように且つ前記シャワーヘッド付き旋回ブームが水洗便器の片側の内壁面に沿って略水平となるように設置した上で、使用時には、前記レバー付きバルブのレバーを操作し、温水供給装置のからの温水を回転シリンダ管の上端の温水導入口から回転シリンダ管内へ導入すると、その水圧により前記ピストン部材が前記コイルバネの弾力に抗して下方へ移動せしめられ、その際、ピストン部材に挿通された前記ねじれ案内バーの作用によりピストン部材がその中心軸を中心に回転せしめられ、前記回り止め手段を介して回転シリンダ管がピストン部材と共に回転せしめられることにより、当該回転シリンダ管に固着された前記シャワーヘッド付き旋回ブームが旋回し、その先端の扇形噴水式シャワーヘッドが便器の中央へ向けて移動すると共に、ピストン部材が回転シリンダ管内でシャワーヘッド付き旋回ブームの基端の固着箇所より下方まで達すると、回転シリンダ管へ導入された温水がパイプ部材から成るシャワーヘッド付き旋回ブームの内部を通じてその先端の扇形噴水式シャワーヘッドから噴出されることにより、前後方向に面状に広がる扇形の噴水流によって臀部内面の洗浄が行われ、当該シャワー使用後に、前記水量調節レバーを操作し、回転シリンダ管内への温水の供給を停止すると、前記コイルバネの復元力によりピストン部材が上方へ向けて移動し、その際、ねじれ案内バーの作用によりピストン部材は当初とは逆方向に回転せしめられつつ原位置へ復帰すると共に、回転シリンダ管及びシャワーヘッド付き旋回ブームもピストン部材と共に当初とは逆方向に回転せしめられて原位置へ復帰するよう構成されたこと；
を特徴とするものである。
このような構成を採用することにより、使用する温水の水圧のみで作動し、必要時に既存の水洗便器に取り付けて用いることのできるアタッチメント方式のコンパクトな臀部内面洗浄装置を提供し得るものである。
また、上記扇形噴水式シャワーヘッドが用いられていることにより、請求項１に記載の本発明に係る洗浄方法を好適に実施し得るものである。
【０００７】
請求項３に係る発明は、本発明の前記目的を達成するため、水洗便器に取り付けて用いるアタッチメント方式の水圧駆動式臀部内面洗浄装置を提供するものであり、その構成は、
水洗便器の便器本体の側壁に固定される取付け台座と、
パイプ部材から成り、水洗便器の片側の内壁面に沿って略水平に配置され、先端には、扇形噴水式シャワーヘッドが取り付けられたシャワーヘッド付き旋回ブームと、
上記取付け台座に設けられ、温水供給装置から供給される温水の水圧により、上記シャワーヘッド付き旋回ブームをその基端部を中心に旋回させ、先端の扇形噴水式シャワーヘッドが便器の中央に達したとき停止させると共に、温水の供給を停止するとシャワーヘッド付き旋回ブームを原位置へ復帰させる旋回ブームの水圧駆動装置と、
上記取付け台座に設けられ、温水供給装置の給水ホースからの温水を上記水圧駆動装置及びシャワーヘッド付き旋回ブームの基端部へ導く管路手段とその流路の開閉及び流量調節を行うレバー付きバルブと、
を備えたことを特徴とするものである。
このような構成を採用することにより、請求項２の発明と同様に、使用する温水の水圧のみで作動し、必要時に既存の水洗便器に取り付けて用いることのできるアタッチメント方式の臀部内面洗浄装置を提供し得る。
【０００８】
請求項４に係る発明は、請求項２又は３の水圧駆動式臀部内面洗浄装置の望ましい実施形態に関するものであり、その構成は、
温水供給装置の給水ホースに接続される上記管路手段に、水洗便器内又は水洗タンク内へ直接排水する排水管路が併設され、上記レバー付きバルブのレバー操作により、給水ホースからの水が冷水の間は当該冷水を上記排水管路へ流し、給水ホースからの水が温水となったときは当該温水を前記回転シリンダ管又は水圧駆動装置とシャワーヘッド付き旋回ブームへ流すよう切換え可能に構成されたことを特徴とするものである。
このような構成を採用することにより、使用開始時の冷水が使用者の臀部に当たり不快感を与えるのを防止できる。
【０００９】
請求項５に係る発明は、本発明の前記目的を達成するため、水洗便器に取り付けて用いるアタッチメント方式の電動式臀部内面洗浄装置を提供するものであり、その構成は、
水洗便器の便器本体の側壁に固定される取付け台座と、
パイプ部材から成り、水洗便器の片側の内壁面に沿って略水平に配置され、先端には、扇形噴水式シャワーヘッドが取り付けられたシャワーヘッド付き旋回ブームと、
上記取付け台座に設けられ、使用者による開始スイッチ操作により、上記シャワーヘッド付き旋回ブームをその基端部を中心に旋回させ、先端の扇形噴水式シャワーヘッドが便器の中央に達したとき停止させると共に、使用者による終了スイッチ操作により、シャワーヘッド付き旋回ブームを原位置へ復帰させる旋回ブームの電動駆動装置と、
上記取付け台座に設けられ、温水供給装置の給水ホースからの温水をシャワーヘッド付き旋回ブームの基端部へ導く管路手段とその流路の開閉及び流量調節を行う電動バルブと、
使用者によるスイッチ操作に基づき、上記旋回ブームの電動駆動装置及び上記電動バルブの作動を制御する制御回路と、
を備えたことを特徴とするものである。
このような構成を採用することにより、必要時に既存の水洗便器に取り付けて用いることができ、動作が正確で便利な電動式の臀部内面洗浄装置を提供し得る。
【００１０】
請求項６に係る発明は、請求項５の電動式臀部内面洗浄装置の望ましい実施形態に関するするものであり、その構成は、
温水供給装置の給水ホースに接続される上記管路手段に、水洗便器内又は水洗タンク内へ直接排水する排水管路が併設され、上記電動バルブの制御回路の作動により、給水ホースからの水が冷水の間は当該冷水を上記排水管路へ流し、給水ホースからの水が温水となったときは当該温水をシャワーヘッド付き旋回ブームへ流すよう切換え可能に構成されたことを特徴とするものである。
このような構成を採用することにより、電動式の臀部内面洗浄装置においても、使用開始時の冷水が使用者の臀部に当たり不快感を与えるのを防止できる。
【００１１】
請求項７に係る発明は、請求項２〜６の水圧式又は電動式の臀部内面洗浄装置の望ましい実施形態に関するものであり、その構成は、上記シャワーヘッド付き旋回ブームのブームの長さを調節可能としたことを特徴とするものである。
このような構成を採用することにより、男性が使用する場合と女性が使用する場合とで異なる最適なブームの長さに対応することができる。
【００１２】
請求項８に係る発明は、同様に、請求項２〜６の水圧式又は電動式の臀部内面洗浄装置の望ましい実施形態に関するものであり、その構成は、上記シャワーヘッド付き旋回ブームの先端に取り付けられる扇形噴水式シャワーヘッドの取付け角度を調節可能としたことを特徴とするものである。
このような構成を採用することにより、シャワーヘッドからの温水の噴出角度を、性差や個人差に応じた最適な角度に調節することができる。
【００１３】
請求項９に係る発明は、本発明の前記目的を達成するための温水洗浄便座を提供するものであり、その構成は、便座の後部から便器内部へ向けて伸長、縮退せしめられるシャワーパイプの先端から使用者の左右の臀部の間へ向けて温水流を噴射するよう構成された温水洗浄便座において、上記シャワーパイプの先端に扇形噴水式シャワーヘッドを取り付けたことを特徴とするものである。
このような構成を採用することにより、便座自体が扇形噴水式シャワーヘッドを備え、従来の温水洗浄便座と比べて、臀部内面全体の洗浄を効率よく且つ安定した動作で行うことができ、長期にわたる使用に適した温水洗浄便座を提供し得る。
【００１４】
請求項１０に係る発明は、請求項９の温水洗浄便座の望ましい実施形態に関するものであり、その構成は、上記シャワーパイプの使用時の長さを少なくとも２段階に選択可能としたことを特徴とするものである。
このような構成を採用することにより、シャワーパイプの長さを、性差や個人差に応じた最適な長さに調節することができる。
【００１５】
請求項１１に係る発明は、同様に、請求項９の温水洗浄便座の望ましい実施形態に関するものであり、その構成は、上記シャワーパイプの先端に取り付けられる扇形噴水式シャワーヘッドの取付け角度を調節可能としたことを特徴とするものである。
このような構成を採用することにより、温水シャワーの噴出角度を、性差や個人差に応じた最適な長さに調節することができる。
【００１６】
請求項１２に係る発明は、請求項９〜１１の温水洗浄便座の望ましい実施形態に関するものであり、その構成は、先端に扇形噴水式シャワーヘッドを取り付けた上記シャワーパイプに加えて、肛門洗浄用シャワーノズルを有するシャワーパイプ及び／又はビデ用シャワーノズルを有するシャワーパイプを併設し、使用時にこれら３種のシャワーパイプのうちから所望のものを選択する選択手段を設けたことを特徴とするものである。
このような構成を採用することにより、さまざまな利用目的に広く対応可能な温水洗浄便座を提供することが可能となる。
【００１７】
請求項１３に係る発明は、本発明の前記目的を達成するための水洗便器を提供するものであり、その構成は、請求項９から１２までのいずれか一項に記載の温水洗浄便座を組み付けて成ることを特徴とするものである。
このような構成を採用することにより、水洗便器自体が扇形噴水式シャワーヘッドを有する温水洗浄便座を備え、従来の水洗便器と比べて、臀部内面全体の洗浄を効率よく且つ安定した動作で行うことができ、長期にわたる使用に適した水洗便器を提供し得る。
【００１８】
請求項１４に係る発明は、本発明の前記目的を達成するための臀部内面洗浄用ハンドシャワーを提供するものであり、その構成は、フレキシブルパイプの先端に、多数条の噴水流から成る面状の水流を形成するシャワーヘッドを取り付け、当該フレキシブルパイプの基端部には、少なくとも、温水供給装置からの給水ホースへの接続コネクタと、水量調節レバー付きバルブとを有するハンドルを取り付けたことを特徴とするものである。
このような構成のハンドシャワーであると、その先端を水洗便器に腰掛けた被介護者の任意の部位に向けることにより、被介護者の背下臀部、股の付け根、陰茎と陰嚢の間など、込み入った部分に付着した汚物を完全に除去することができる。
【００１９】
請求項１５に係る発明は、請求項１４のハンドシャワーの望ましい実施形態に関するものであり、その構成は、上記シャワーヘッドのシャワー放出板の内面の略中央に牽引ワイヤの一端を取り付け、当該牽引ワイヤの他端は上記フレキシブルパイプの内部を通じて又は外周面に沿ってフレキシブルパイプの基端部側へ導き、上記ハンドルに設けた牽引レバーに取り付けたことを特徴とするものである。
そのような構成とすることにより、ハンドルに設けた牽引レバーを引き、牽引ワイヤで、通常は外側へ向けて凸状になっているシャワー放出板の面の凹凸曲率を変化させることにより、シャワーの拡散領域を任意に変更できる。
【００２０】
上記の如く、本発明によるときは、温水供給レバーをひねるだけで、または使用開始スイッチを入れるだけで被介護者本人あるいは介護者が、いつでも手軽に、短時間の内に効率よく臀部内側を全体的に洗浄することが可能となるものである。少し長い時間をかければ「お尻だけの入浴」も実現できる。
また、紙や布で拭き取るのではなく、温水での洗浄であるため、擦過傷などをつくることなく、被介護者に高いレベルでの清潔性と快適さを提供できること、介護者の作業時間と労働量を軽減できること、等々の効果も得られる。
なお、本発明に係る臀部内面洗浄装置等は、被介護者に限らず、通常の健康な人であっても、これを使用することにより、従来以上の清潔性と快適さを得ることができるので、被介護者を有する家庭内で共同で利用することも可能である。
【発明を実施するための最良の形態】
【００２１】
以下、図面を参照しつつ、本発明を実施するための最良の形態について説明する。
図１は、本発明に係る水圧駆動によるアタッチメント式臀部内面洗浄装置の一実施例を水洗便器に取り付けた状態で示す平面図、
図２は、本発明に係る臀部内面洗浄装置等に取り付けて用いられる扇形噴水式シャワーヘッドの一実施例の説明図、
図３は、図２に示した扇形噴水式シャワーヘッドによる洗浄状態を示す説明図、
図４は、図１に示したアタッチメント式臀部内面洗浄装置の不使用時の状態を示す説明図、
図５は、図４に示したアタッチメント式臀部内面洗浄装置の使用時の状態を示す説明図、
図６は、図４及び図５に示したアタッチメント式臀部内面洗浄装置の回転シリンダ管とピストン部材の組立て状態を示す軸直角断面図、
図７は、冷水及び温水の切換えと水量調節を行うためのバルブの操作を示す説明図、
図８は、本発明に係る電気制御駆動によるアタッチメント式臀部内面洗浄装置の一実施例を示す説明図、
図９は、図４、図５及び図８に示したアタッチメント式臀部内面洗浄装置のシャワーヘッド付き旋回ブームの長さの調節手段の一実施例を示す説明図、
図１０は、本発明に係る温水洗浄便座の一実施例を示す説明図、
図１１は、本発明に係る臀部内面洗浄用ハンドシャワーの一実施例を示す説明図、
図１２は、図１１に示したハンドシャワーのシャワーターゲット領域の調節状態を示す説明図である。
【００２２】
本発明は、前記の如く、使用者の臀部内側全体を、臀部内側凹部に沿って面的に吐出する大量の温水シャワーで洗浄することを目的とするものである。
この目的を達成するための洗浄装置としては、（Ａ）洗浄機能を持った従来の温水洗浄便座に大量の温水を吐出するシャワーノズルを追加することが最も適切であると考えられるが、（Ｂ）既設のトイレ装置とは独立した洗浄装置でも可能である。この場合、（Ｂ−１）電気的制御駆動装置を利用したものと、（Ｂ−２）電気を一切使わずに水圧のみで作動する装置の２種類が考えられる。
まず、図１〜図８を参照しつつ、既存の水洗便器に取り付けて使用するアタッチメント式の洗浄装置で、上記（Ｂ−２）の電気を一切使わずに水圧のみで作動する装置について説明し、次いで、図９により、（Ｂ−１）の電気的制御駆動装置を利用したものについて説明し、図１０により、（Ａ）の従来の温水洗浄便座に大量の温水を吐出するシャワーヘッドを製造段階で取り付けたものについて説明し、更に、図１１〜図１２により、ハンドシャワータイプのものについて説明する。
【００２３】
図１、図４、図５には、水圧のみで作動する洗浄装置１を、水洗便器の便器本体（便器鉢）Ｐに設置した状態が示されている。使用時には、この上に便座カバーを降ろして腰掛ける。
図１及び図４（Ａ）に示す如く、先端にシャワーヘッド１３のついた旋回ブーム１４は、不使用時には便器鉢の内部側面に寄せてあるが、使用時には、バルブ１９のレバー１９１をひねって、装置内に通水することにより、図５（Ａ）に示す如く、水圧で自動的に旋回し、ブーム先端のシャワーヘッド１３が便器中央部に移動して、使用者の臀部内面全体に向けて温水を吐出するようになっている。
【００２４】
旋回ブーム１４の先端に取り付けるシャワーヘッド１３としては小型のものを使用し、図２（Ａ）の平面図と同（Ｂ）の側面図に示すように、縦方向に湾曲させたシャワー放出板１３１に、多数の噴水孔１３１ａを縦長に配列することにより、臀部内側の凹部に沿って前後方向に広がる縦扇形の温水シャワーＷを吐出させるようになっている。
即ち、シャワーヘッド１３（本願において、「扇形噴水式シャワーヘッド」という。）は、楕円状又は略長方形状のシャワー放出板１３１を有し、その多数の噴水口１３１ａは、短軸方向に配列される数よりも長軸方向に配列される数を多くし、放出板１３１をその長軸方向に沿って外側へ向けて凸状に湾曲させることにより扇形の噴水流Ｗが形成されるようになっている。
そのため、この扇形の噴水流Ｗを使用者の臀部内側へ向けて放出すると、図３（Ａ）の正面図に示す左右方向の広がりよりも、同図（Ｂ）の右側面図に示す前後方向の広がりの方が広範囲となる縦長で面状の噴水流Ｗによって、汚れた臀部内面全体が洗浄されるものであり、従来の温水洗浄便座による１〜４本のビーム状の噴水流によるピンポイント洗浄に比べて、格段に効率良く、広範囲で衛生的な洗浄が行われ得るものである。
即ち、図２に示すような扇形噴水式シャワーヘッド１３を用いることにより、本発明に係る洗浄方法、即ち、水洗便器の便座に腰掛けた使用者の臀部Ｈの下方から左右の臀部の間へ向けて、左右方向の数よりも前後方向の数が多くなるよう配列された多数条の扇形噴水流Ｗから成る温水シャワーを噴射することにより、左右の臀部内面に当たる面状の水流で臀部内面全体を洗浄することを特徴とする臀部内面の洗浄方法が好適に実施され得るものである。
ここで「多数条」とは、望ましくは１０条以上、１００条以下、一層望ましくは２０条以上、５０条以下とされるものである。噴水流の数が１０条未満であると、面状に広がる充分な水流が得られず、他方、１００条を超えると無駄に消費される温水が多くなるためであり、更にまた、２０条以上、５０条以下の範囲が面状の水流形成及び温水供給効率の点で最も好適であるからである。
従って、シャワー放出板１３１に明けられる「多数」の噴水口１３１ａの数も、望ましくは１０個以上、１００個以下、一層望ましくは２０個以上、５０個以下とされるものである。
【００２５】
なお、上記実施例においては、シャワーヘッド１３の楕円状又は略長方形状のシャワー放出板１３１を、長軸方向に沿って外側へ向けて凸状に湾曲させることにより扇形の噴水流Ｗが形成されるように構成したが、シャワー放出板１３１が肉厚の部材である場合には、噴水口１３１ａの穿孔角度を中央領域のものから端部領域のものへ向かうに従って次第に傾斜させることによっても、扇形の噴水流Ｗを形成することが可能である。
即ち、放出板１３１の中央領域の噴水口１３１ａは、放出板１３１の主平面に対して垂直となるように明け、端部領域へ向かうに従って次第に外側へ向けて傾斜させるように明けることにより、それらの噴水口から噴出される水流を全体として扇形に形成し得るものである。
【００２６】
以下、図１、図４、図５に示したアタッチメント式の臀部内面洗浄装置１の構成及び作動について説明する。
この洗浄装置１は、取付け台座１１、回転シリンダ管１２、扇形噴水式シャワーヘッド１３、旋回ブーム１４、ピストン部材１５、ねじれ案内バー１６、コイルバネ１７、管路手段１８、バルブ１９、等々から構成されている。
洗浄装置１は、取付け台座１１に備えられたクランプ等により水洗便器の便器鉢Ｐに固定され、その際、取付け台座１１に直接的又は間接的に取り付けられた回転シリンダ管１２が便器鉢内で略鉛直となるようにセットされる。
本装置の動作は、管路手段１８を通じて回転シリンダ管１２に通水すると、その水圧により回転シリンダ管１２内のピストン部材１５が下に押し下げられ、これと同時に旋回ブーム１４をその先端が便器中央にくるまで回転させ（図５）、中央にきたところで先端の扇形噴水式シャワーヘッド１３から大量の温水が放出される。
洗浄が終わり通水を止めると、回転シリンダ管１２内のコイルバネ１７の反発力によりピストン部材１５が上に押し上げられ、これと同時に旋回ブーム１４が便器鉢側面の元の位置まで自動的に戻る。
ピストン部材１５を回転させるためのねじれ案内バー１６と、その回転を回転シリンダ管１２に伝えるための回り止め手段１２３及び１５２（図６）が設けられる。
【００２７】
以下、より具体的に説明する。
取付け台座１１は、洗浄装置１を水洗便器の便器本体Ｐの側壁に着脱可能なように固定するためのものであり、便器本体Ｐの外形に対応可能な形状を有すると共に、クランプ等の簡便で安定した固定手段を有する。
なお、取付け台座１１は、必ずしも便器本体Ｐのみによって支持されるものである必要はなく、便器が設置されている床面に設置され、補助的に便器本体Ｐによって支持されるような台座であってもよい。
回転シリンダ管１２は、その上端が上記取付け台座１１に対して直接的又は所要の部材を介して間接的に取り付けられ、その際、ベアリング等を介して所定の角度範囲内で軸中心に回転可能なように取り付けられる。
また、回転シリンダ管１２の上端には、管路手段１８へ通じる温水導入口１２１が設けられる。
洗浄装置１を便器本体Ｐに取り付けるときは、回転シリンダ管１２が便器鉢の内壁面に沿って略鉛直となるようにセットする。
【００２８】
パイプ部材から成るシャワーヘッド付き旋回ブーム１４の先端１４１には、前記扇形噴水式シャワーヘッド１３が取り付けられる。
旋回ブーム１４の基端部１４２は、上記回転シリンダ管１２の下半部の管壁に明けた通水孔１２２の箇所で、回転シリンダ管の外周面に固着され、前記温水導入口１２１から回転シリンダ管内に導入された温水が、通水孔１２２から旋回ブーム１４の内部を通じてシャワーヘッド１３へ送られ、放出されるようになっている。
【００２９】
ねじれ案内バー１６は、回転シリンダ管１２内でピストン部材１５が上下に移動する際に、ピストン部材に回転を付与する部材である。
図示した実施例におけるねじれ案内バー１６は、扁平な串状の部材から成り、回転シリンダ管１２内にその中心軸に沿って挿入され、図４（Ｃ）及び図５（Ｃ）に示す如く、上端と下端間に軸中心のねじれが形成されている。
ねじれ案内バー１６の上端は前記取付け台座１１に対して直接的又は所要の部材を介して間接的に固定され、中間部はピストン部材１５の中心に明けた非円形の孔１５１（図６参照）に遊びなく挿通されている。
ピストン部材１５の非円形の孔１５１に遊びなく挿通するために、ねじれ案内バー１６の軸直角断面は、ピストン部材の上記非円形の孔１５１に対応する形状に形成されている。
【００３０】
ピストン部材１５は、回転シリンダ管１２内に収容され、回転シリンダ管の軸方向には移動可能なように、且つ、回り止め手段によって回転シリンダ管に対しては相対的に回転不能なように保持される。
回り止め手段の一例としては、例えば図６（イ）に示す如く、回転シリンダ管１２の内壁面にその軸方向に沿って上から下まで直線状に延びるスプライン突条１２３を形成すると共に、ピストン部材１５の外周面には、上記スプライン突条１２３に対応する切欠き１５２を形成したものを採用できる。
スプライン突条１２３と切欠き１５２が嵌まり合っているため、ピストン部材１５と回転シリンダ管１２とは相対的に回転は不能であるが、ピストン部材１５は上下方向にはスプライン突条１２３に沿って移動可能なものである。
回り止め手段のもう一つの例としては、例えば図６（ロ）に示す如く、ピストン部材１５の適宜の箇所に、ピストン部材１５の中心軸と平行にその上面から下面へ貫通する孔１５３を明けておき、この孔に、回転シリンダ管１２の中心軸と平行に上下方向に延びる回り止め棒１５４を挿通する。回り止め棒１５４の上端及び／又は下端は回転シリンダ管１２に固定する。
この場合、回り止め棒１５４がピストン部材１５の孔１５３に挿通されているため、ピストン部材１５と回転シリンダ管１２とは相対的に回転は不能であるが、ピストン部材１５は上下方向には移動可能である。
【００３１】
回転シリンダ管１２の底面とピストン部材１５の下面との間には、コイルバネ１７が収容され、ピストン部材１５を上方向へ押し上げる作用をするようになっている。
【００３２】
前記取付け台座１１には、温水供給装置の給水ホースからの温水を回転シリンダ管１２の上端の温水導入口１２１へ導く管路手段１８と、その流路の開閉及び流量調節を行うレバー１９１の付いたバルブ１９とが設けられる。
【００３３】
上記の如く構成された、アタッチメント式の洗浄装置１を水洗便器に取り付ける時は、回転シリンダ管１２が水洗便器の片側の内壁面に沿って鉛直となるように且つ前記シャワーヘッド付き旋回ブーム１４が水洗便器の片側の内壁面に沿って略水平となるように設置する。
【００３４】
この洗浄装置１の使用時には、前記レバー付きバルブ１９のレバー１９１を操作し、温水供給装置のからの温水を回転シリンダ管の上端の温水導入口１２１から回転シリンダ管１２内へ導入する。
そうすると、その水圧によりピストン部材１５がコイルバネ１７の弾力に抗して下方へ移動せしめられ、その際、ピストン部材に挿通されたねじれ案内バー１６の作用によりピストン部材１５がその中心軸を中心に回転せしめられる。
然るときは、前記回り止め手段１２３，１５２を介して回転シリンダ管１２がピストン部材１５と共に回転せしめられ、これにより、回転シリンダ管１２に固着されたシャワーヘッド付き旋回ブーム１４が旋回し、その先端の扇形噴水式シャワーヘッド１３が便器の中央へ向けて移動する。
このようにして、ピストン部材１５が回転シリンダ管１２内で旋回ブーム１４の基端の固着箇所、即ち、通水口１２２の位置もしくはそれより下方まで達すると、回転シリンダ管へ導入された温水が、通水口１２２から旋回ブーム１４の内部を通じてその先端の扇形噴水式シャワーヘッド１３へ送られ、扇形の噴水流Ｗとなって噴出される。この前後方向に面状に広がる扇形の噴水流Ｗによって臀部内面の洗浄が行われるものである。
【００３５】
シャワー使用後には、前記水量調節レバー１９１を操作し、回転シリンダ管内への温水の供給を停止すると、コイルバネ１７の復元力によりピストン部材１５が上方へ向けて移動する。その際、ねじれ案内バー１６の作用によりピストン部材１５は当初とは逆方向に回転せしめられつつ原位置へ復帰する。
このとき同時に、前記回り止め手段１２３、１５２の作用により、回転シリンダ管１２及びシャワーヘッド付き旋回ブーム１４もピストン部材１５と共に当初とは逆方向に回転せしめられて、原位置へ復帰する。
【００３６】
なお、コイルバネ１７の復元力によりピストン部材１５が上方へ向けて復帰する際に、ピストン部材１５より上方に存在する回転シリンダ管１２内の水の逃げ場がなければ、ピストン部材１５の上方への移動が阻害される。
然しながら、通常は、ピストン部材１５に明けた前記非円形の孔１５１とねじれ案内バー１６との間の僅かな隙間や、回り止めのためのスプライン突条１２３と切欠き１５２との間の僅かな隙間などからの漏水があるため、ピストン部材１５の上方への移動は幾分緩慢ではあるが、支障なく行われる。
ただし、各部品が極めて高精度に作製され、上記漏水が生じ得ない場合には、例えば、ピストン部材１５に予め細孔を明けておき、当該細孔を通じてピストン部材１５より上方の水を下方へ逃がすようにすればよい。当該細孔のサイズは、回転シリンダ管１２内への温水導入時に、その水圧によるピストン部材１５の下方への移動に支障が生じない程度に、充分に小さな孔とすべきことは勿論である。
なお、回転シリンダ管１２から外部への水漏れについては、旋回ブーム１４の回転動作や、シャワーヘッド１３からの放水動作に支障がない限り、その水漏れを完全に防止する必要はない。漏れた水は便器内へ落下するので特に問題はなく、また、装置自体の表面洗浄効果も期待できるからである。
【００３７】
なお、上記実施例における水圧駆動式の洗浄装置１においては、シャワーヘッド付き旋回ブーム１４を不使用時の位置から使用時の位置へ便器鉢内で旋回させるために、回転シリンダ管１２と、ピストン部材１５と、ねじれ案内バー１６とから構成される機構を用いたが、旋回ブームを旋回させるための水圧駆動装置としては、これ以外の手段を用いることも可能である。
例えば、公知の水圧アクチュエータや水圧モータを駆動力源とし、その動力を旋回ブームに伝達して旋回させるようにしてもよい。
従って、本発明は、アタッチメント式の臀部内面洗浄装置であって、そのシャワーヘッド付き旋回ブーム１４を水圧駆動する各種形態のものを広く包摂するものである。
即ち、本発明に係るアタッチメント式臀部内面洗浄装置としては、
水洗便器の便器本体Ｐの側壁に固定される取付け台座１１と、
パイプ部材から成り、水洗便器の片側の内壁面に沿って略水平に配置され、先端には、扇形噴水式シャワーヘッド１３が取り付けられたシャワーヘッド付き旋回ブーム１４と、
上記取付け台座に設けられ、温水供給装置から供給される温水の水圧により、上記シャワーヘッド付き旋回ブーム１４をその基端部を中心に旋回させ、先端の扇形噴水式シャワーヘッド１３が便器の中央に達したとき停止させると共に、温水の供給を停止するとシャワーヘッド付き旋回ブーム１４を原位置へ復帰させる旋回ブームの水圧駆動装置（図面による説明は省略）と、
上記取付け台座に設けられ、温水供給装置の給水ホースからの温水を上記水圧駆動装置及びシャワーヘッド付き旋回ブームの基端部へ導く管路手段１８とその流路の開閉及び流量調節を行うレバー付きバルブ１９と、
を備えたものが含まれるものである。
【００３８】
次に、扇形噴水式シャワーヘッド１３から放出される温水の切換え手段について説明する。
即ち、通水の始めは水温が低いので、水温が適温になるまでの間に流れる冷水は便器鉢か水洗タンクに排水し、適温になってからシャワーヘッド１３から放出するようにすることが望ましい。
図７には、そのための切換えと水量調節を行うレバー１９１を備えたバルブ１９と、その操作内容が記載されている。レバー１９１の回し具合で、シャワーヘッド１３からの出水量を調節する。
図７において、レバー１９１が（Ａ）の位置で完全に止水する。
（Ａ）から（Ｂ）の間は冷水を排水する。
（Ｂ）から（Ｃ）の間に温水が前記回転シリンダ管１２に流入し、旋回ブーム１４が回転し、シャワーヘッド１３から温水が吐出する。
そのため、本発明に係る洗浄装置１においては、温水供給装置（図では省略）の給水ホースに接続される上記管路手段１８に、水洗便器内又は水洗タンク内へ直接排水する排水管路１８ａ（図１）が併設され、上記レバー付きバルブ１９のレバー操作により、給水ホースからの水が冷水の間は当該冷水を排水管路１８ａへ流し、給水ホースからの水が温水となったときは当該温水を前記回転シリンダ管又は前記水圧駆動装置とシャワーヘッド付き旋回ブームへ流すよう切換え可能に構成されるものである。
このような構成を採用することにより、使用開始時の冷水が使用者の臀部に当たり不快感を与えるのを防止できる。
【００３９】
次に、電動式のアタッチメント式臀部内面洗浄装置について、図８を参照しつつ説明する。
電気的制御駆動装置を用いることにより、目的とする動作をより正確で確実なものにすることができる。
図８に、その概略が示されており、図中の電動駆動装置２０は、サーボモーター２１、歯車列２２、電動バルブ２３、等々を備え、制御回路２４からの制御信号によって作動せしめられるようになっている。
通水スイッチ（図では省略）を入れると、制御回路２４からの制御信号によりサーボモーター２１が駆動し、歯車列２２を介してシャワーヘッド付き旋回ブーム１４が回転する。ブーム先端の扇形噴水式シャワーヘッド１３が便器の中央に達すると、回転を停止し、電動バルブ２３を作動させて通水口を開け、シャワーヘッド１３からの吐水を開始する。
このように、本発明は、アタッチメント式の臀部内面洗浄装置であって、そのシャワーヘッド付き旋回ブーム１４や給水バルブを電動により駆動するものを広く包摂するものである。
【００４０】
従って、本発明に係るアタッチメント式臀部内面洗浄装置としては、
水洗便器の便器本体の側壁に固定される取付け台座１１と、
パイプ部材から成り、水洗便器の片側の内壁面に沿って略水平に配置され、先端には、扇形噴水式シャワーヘッド１３が取り付けられたシャワーヘッド付き旋回ブーム１４と、
上記取付け台座に設けられ、使用者による開始スイッチ操作により、上記シャワーヘッド付き旋回ブーム１４をその基端部を中心に旋回させ、先端の扇形噴水式シャワーヘッド１３が便器の中央に達したとき停止させると共に、使用者による終了スイッチ操作により、シャワーヘッド付き旋回ブーム１４を原位置へ復帰させる旋回ブームの電動駆動装置２０と、
上記取付け台座に設けられ、温水供給装置の給水ホースからの温水をシャワーヘッド付き旋回ブームの基端部へ導く管路手段１８とその流路の開閉及び流量調節を行う電動バルブ２３と、
使用者によるスイッチ操作に基づき、上記旋回ブームの電動駆動装置２０及び上記電動バルブ２３の作動を制御する制御回路２４と、
を備えたものが含まれるものである。
なお、本願において、電動バルブというときは、電磁バルブその他、電力により弁の開閉が行われるものや、電気信号により開閉制御が行われるもの、等々を広く含むものである。
このような電動方式の構成を採用することにより、必要時に既存の水洗便器に取り付けて用いることができ、動作が正確で便利な電動式の臀部内面洗浄装置を提供し得る。
【００４１】
なお、電動式の洗浄装置においても、使用開始時の冷水が臀部に当たるのを防止するため、温水供給装置から供給される水の切換え制御を行うように構成することが推奨される。
そのため、電動式の洗浄装置においても、温水供給装置の給水ホースに接続される上記管路手段１８に、水洗便器内又は水洗タンク内へ直接排水する排水管路１８ａを併設し、上記電動バルブの制御回路の作動により、給水ホースからの水が冷水の間（例えば給水開始から予め定めた所定時間内）は当該冷水を排水管路１８ａへ流し、所定時間が経過し給水ホースからの水が温水となったときは当該温水をシャワーヘッド付き旋回ブーム１４へ流すよう切換え制御することが望ましい。
【００４２】
次に、扇形噴水式シャワーヘッド１３の位置と角度の調節について説明する。
女性の場合、男性よりもやや前方からの洗浄が好ましいので、扇形噴水式シャワーヘッド１３の位置を前方にずらすことが可能なように構成することが望ましい。
そのため、図９に示すように、例えば、旋回ブーム１４の先端に着脱可能なエクステンションパイプ１４３を接続できるようにすることが推奨される。
また、シャワーヘッドからの温水の吐出角度を、性差や個人差、好みに応じて調整することができるように、図９に示す如く、旋回ブーム１４の先端へのシャワーヘッド１３の取付け部分にボールジョイント１４４を設け、シャワーヘッドの取付け角度を調節可能とすることができる。この場合、２個の着脱用ジョイント１４５を介してボールジョイント１４４を取り付けるようにするとよい。
なお、シャワーヘッド１３の位置と角度の調節手段は、これらに限らず、各種形態のものを利用できる。
【００４３】
以上、必要時に、既存の水洗便器に取り付けて用いることのできるアタッチメント方式の臀部内面洗浄装置について説明してきた。
被介護者を一時的に有する家庭においては、このようなアタッチメント式の洗浄装置を利用することにより、次に説明する便座自体が洗浄装置を備えたものを設置するよりも、臨機応変に対応できるメリットがある。
【００４４】
次に、従来の温水洗浄装置に加え、臀部内面全体を面的に広く洗浄するため大量の温水を吐出するシャワーヘッドを便座そのものの一部として一体的に組み込んだ温水洗浄装置について、図１０を参照しつつ説明する。
図１０（Ａ）は当該便座の平面図、同（Ｂ）はその３種のシャワーパイプの配置の一例を示す底面図、同（Ｃ）はその正面図である。
従来の温水洗浄装置が、前記の如く、１〜４条の水流によるピンポイント洗浄であったのに対して、図１０に示す本発明による温水洗浄装置３においては、便座３０に扇形噴水式シャワーヘッド１３を組み込むことにより、扇形の面状に広がる多条の水流によって、臀部内面を洗い残しなく効率良く洗浄し得るものである。
なお、この温水洗浄装置は、出水量のコントロールに加え、男性が使用する場合と女性が使用する場合の両方に対応するため、一定の範囲内でシャワーパイプの長さを調節できるものとする。
【００４５】
即ち、図１０に示す温水洗浄便座３は、便座３０の後部から便器内部へ向けて電動形式で伸長、縮退せしめられるシャワーパイプ３１の先端から使用者の左右の臀部の間へ向けて温水流を噴射するよう構成された温水洗浄便座において、上記シャワーパイプ３１の先端に扇形噴水式シャワーヘッド１３を取り付けたことを特徴とするものである。
シャワーパイプ３１の使用時の長さは、少なくとも２段階に変更、選択可能なように構成すると共に、扇形噴水式シャワーヘッド１３の取付け角度についても、これを調節可能とすることが推奨される。
このような構成を採用することにより、シャワーパイプの長さやシャワーヘッドの角度を、性差や個人差に応じた最適な長さと角度に調節することができる。
なお、温水洗浄便座３は、扇形噴水式シャワーヘッド１３を有する上記シャワーパイプ３１に加えて、従来の温水洗浄便座と同様の肛門洗浄用シャワーノズルを有するシャワーパイプ３２と、ビデ用シャワーノズルを有するシャワーパイプ３３とを有すると共に、使用時にこれら３種のシャワーパイプのうちから所望のものを選択する選択手段を備えている。
当該選択手段としては、押しボタン等で所望の洗浄方式を選ぶと、公知の手段によりその洗浄方式のシャワーパイプが伸長し、当該シャワーパイプに対応する電磁バルブが開いて、洗浄が行われるようにすることができる。
図１０（Ａ）の平面図に示す状態においては、扇形噴水式シャワーヘッド１３を有するシャワーパイプ３１だけを使用のため伸長させ、他のシャワーパイプ３２と３３は縮退させたままとなっている。また、図１０（Ｂ）の底面図に示す状態においては、参考のためシャワーパイプ３１、３２及び３３のすべてを伸長させた様子が示されているが、実際の使用時には、使用目的に応じてこれら３本のシャワーパイプのうちのいずれか１本だけを伸長させて使用するものである。
このような構成を採用することにより、さまざまな利用目的に広く対応可能な温水洗浄便座を提供することが可能となる。
本発明はまた、上記の如き構成の温水洗浄便座３を当初から組み付けて成る水洗便器（図示せず）をも提供するものである。
これにより、従来の水洗便器と比べて、臀部内面全体の洗浄を効率よく且つ安定した動作で行うことができ、長期にわたる使用に適した水洗便器を提供し得る。
【００４６】
次に、図１１及び図１２を参照しつつ、本発明に係る臀部内面洗浄用ハンドシャワーについて説明する。
図１１に示すハンドシャワー４は、フレキシブルパイプ４１の先端４１１に、多数条の噴水流から成る面状の水流を形成するシャワーヘッド４２を取り付け、当該フレキシブルパイプの基端部４１２には、少なくとも、温水供給装置からの給水ホースへの接続コネクタ４３１と、水量調節レバー付きバルブ４３２とを有するハンドル４３を取り付けたことを特徴とするものである。
このようなハンドシャワーは、臀部内面を、多数条の噴水流から成る面状の水流で洗浄するという点で、前記の水洗便器へのアタッチメント式の洗浄装置等と共通の技術的思想に立脚するものである。
このハンドシャワー４は、被介護者の背下臀部、股の付け根、陰茎と陰嚢の間など、込み入った部分に付着した汚物を完全に除去するために、前記の本発明に係る臀部内面洗浄装置と併用することが望ましい。
【００４７】
上記ハンドシャワーに必要とされる要件は、下記（１）〜（４）の通りである。
（１）ハンドルのところでの片手での指操作によりシャワーのオン・オフに加え、軽い力で吐水量の無段階調節ができること。
この要件は、ハンドル４３に上記水量調節レバー４３２ａを有するバルブ４３２を設けることにより充足される。
（２）ハンドルからシャワーヘッドまでは長さ３０ｃｍ程度のフレキシブルなパイプを使用し、使用時の必要性に応じて自由に曲げられること。
（３）使用中にシャワーヘッドが体に接触することがあるので、シャワーヘッドは小さく、滑らかで突起がなく、皮膚を傷つけないものであること。
シャワーヘッドの大きさは、最大径部分が０．５ｃｍ〜３ｃｍの範囲内であることが望ましい。０．５ｃｍ未満では充分な水量を確保するのに必要な数の噴水口を設けることが困難となり、他方、３ｃｍを超えると、使用者の体に接触する可能性が増加すると共に、汚れが付着する可能性も増大するからである。特にハンドシャワーの先端は、使用者の股間と便座の間の狭い隙間から出し入れするため、小さく小回りが利くことが重要であり、皮膚を傷つけないよう滑らかであることが必須である。
（４）望ましくは、ハンドルのところでシャワーの拡散領域をコントロールできること。
この要件を充足させるため、例えば、以下の構成を採用することが推奨される。
即ち、図１１に示すように、ハンドシャワー４のシャワーヘッド４２のシャワー放出板４２１の内面の略中央に牽引ワイヤ４２２の一端を取り付け、当該牽引ワイヤの他端は上記フレキシブルパイプ４１の内部を通じて又は外周面に沿ってフレキシブルパイプの基端部側へ導き、上記ハンドル４３に設けた牽引レバー４３３に取り付けるように構成するものである。
このように、シャワーヘッド４２のシャワー放出板４２１の中央を牽引ワイヤ４２２で下方に引くことにより、図１２に示す如く、シャワー放出板４２１の形状が（Ａ）凸面、（Ｂ）平面、（Ｃ）凹面と変化し、それに伴い多数の水流の噴出方向を変化させ、片手で拡散領域Ｓを任意に変更できる。
即ち、ハンドル４３に設けた牽引レバー４３３を引き、牽引ワイヤ４２２で、通常は外側へ向けて凸状になっているシャワー放出板４２１の凹凸曲率を変化させることにより、シャワーの拡散領域Ｓを任意に変更できるものである。
【００４８】
以上の如き構成を有するハンドシャワーであると、その先端のシャワーヘッドを水洗便器に腰掛けた被介護者の任意の部位に向けることにより、被介護者の背下臀部、股の付け根、陰茎と陰嚢の間など、込み入った部分に付着した汚物を完全に除去することができる。
【００４９】
なお、本発明を実施するに当たっては、以下の点に留意する。
（１）本発明装置を機能させるには大量の温水を供給できることが必要である。
そのため給湯器からの配管による給水、もしくは電気瞬間温水器などを使用してトイレ内に温水を供給するための設備を設けることが望ましい。
（２）大量の温水を吐出するため、温水が便器外に飛散しないように便器本体と便座の間の空間に仕切り板を設けることが望ましい。
【００５０】
なお、本発明は上記の実施例に限定されるものではなく、例えば、扇形噴水式シャワーヘッドの形状、シャワーヘッド付き旋回ブームの駆動機構、回り止め手段、シャワーヘッドの位置及び角度の調節機構、ハンドシャワーのハンドルの形態、等々は適宜設計変更することが可能であり、従って、本発明はその目的の範囲内において、上記の説明から当業者が容易に想到し得るすべての変更実施例を包摂するものである。
【産業上の利用可能性】
【００５１】
上記の如く、本発明によるときは、被介護者等の臀部内側全体を、扇形の面状に広がる大量の温水シャワーで洗浄することにより、最も不潔になりやすい臀部内面の清潔を保ち、被介護者等の衛生性と快適性を実現し、加えて介護者の作業時間を短縮し、労働量を軽減し得るものであるから、産業上多大の利用可能性を有するものである。
特に、これからの老人化社会における被介護者の増加が見込まれる状況において、本発明の有用性は一層増大するものである。
【図面の簡単な説明】
【００５２】
【図１】本発明に係る水圧駆動によるアタッチメント式臀部内面洗浄装置の一実施例を水洗便器に取り付けた状態で示す平面図である。
【図２】本発明に係る臀部内面洗浄装置等に取り付けて用いられる扇形噴水式シャワーヘッドの一実施例の説明図である。
【図３】図２に示した扇形噴水式シャワーヘッドによる洗浄状態を示す説明図である。
【図４】図１に示したアタッチメント式臀部内面洗浄装置の不使用時の状態を示す説明図である。
【図５】図４に示したアタッチメント式臀部内面洗浄装置の使用時の状態を示す説明図である。
【図６】図４及び図５に示したアタッチメント式臀部内面洗浄装置の回転シリンダ管とピストン部材の組立て状態を示す軸直角断面図である。
【図７】冷水及び温水の切換えと水量調節を行うためのバルブの操作を示す説明図である。
【図８】本発明に係る電気制御駆動によるアタッチメント式臀部内面洗浄装置の一実施例を示す説明図である。
【図９】図４、図５及び図８に示したアタッチメント式臀部内面洗浄装置のシャワーヘッド付き旋回ブームの長さの調節手段の一実施例を示す説明図である。
【図１０】本発明に係る温水洗浄便座の一実施例を示す説明図である。
【図１１】本発明に係る臀部内面洗浄用ハンドシャワーの一実施例を示す説明図である。
【図１２】図１１に示したハンドシャワーのシャワーターゲット領域の調節状態を示す説明図である。
【符号の説明】
【００５３】
１        アタッチメント式臀部内面洗浄装置
１１      取付け台座
１２      回転シリンダ管
１２１    温水導入口
１２２    通水口
１２３    スプライン突条
１３      扇形噴水式シャワーヘッド
１３１    シャワー放出板
１３１ａ  噴水口
１４      シャワーヘッド付き旋回ブーム
１４１    先端
１４２    基端部
１４３    エクステンションパイプ
１４４    ボールジョイント
１４５    着脱用ジョイント
１５      ピストン部材
１５１    非円形の孔
１５２    切欠き
１５３    回り止め棒の挿通孔
１５４    回り止め棒
１６      ねじれ案内バー
１７      コイルバネ
１８      管路手段
１８ａ    排水管路
１９      バルブ
１９１    レバー
２０      電動駆動装置
２１      サーボモーター
２２      歯車列
２３      電動バルブ
２４      制御回路
３        温水洗浄便座
３０      便座
３１〜３３  シャワーパイプ
４        臀部内面洗浄用ハンドシャワー
４１      フレキシブルパイプ
４１１    先端
４１２    基端部
４２      シャワーヘッド
４２１    シャワー放出板
４２２    牽引ワイヤ
４３      ハンドル
４３１    給水ホースへの接続コネクタ
４３２    バルブ
４３２ａ  水量調節レバー
４３３    牽引レバー
Ｐ        便器本体（便器鉢）
Ｈ        臀部
Ｗ        扇形噴水流
【図１】
2010065406.tif 000003
【図２】
2010065406.tif 000004
【図３】
2010065406.tif 000005
【図４】
2010065406.tif 000006
【図５】
2010065406.tif 000007
【図６】
2010065406.tif 000008
【図７】
2010065406.tif 000009
【図８】
2010065406.tif 000010
【図９】
2010065406.tif 000011
【図１０】
2010065406.tif 000012
【図１１】
2010065406.tif 000013
【図１２】
2010065406.tif 000014